(57)【要約】      （修正有）【課題】ヘッダシート印刷時の手間を抑え、ヘッダシートの被読取精度を向上させる印刷方法及びプリンタシステムを提供する。【解決手段】ヘッダシートの印刷時に、ＯＣＲ文字部２０２やバーコード部２０４等のクリアエリア２０１、２０３として、それぞれの読取装置の特性に応じたドロップアウトカラーにより塗り潰された所定の範囲の領域を印刷する。【選択図】図２
2009248531.tif 000002
【特許請求の範囲】
【請求項１】
有価証券の読み取り時に読み取られる、有価証券に関する情報が印刷されたヘッダシートを印刷する印刷方法であって、
前記有価証券に関する情報が印刷された周囲の所定の範囲を、所定の色で塗り潰して印刷する
ことを特徴とする印刷方法。
【請求項２】
前記所定の色は、有価証券の読み取りに使用される読取装置のドロップアウトカラーに設定される
ことを特徴とする請求項１に記載の印刷方法。
【請求項３】
有価証券の読み取り時に読み取られる、有価証券に関する情報が印刷されたヘッダシートを印刷するプリンタシステムであって、
プリンタと、
前記ヘッダシートの印刷時の設定を行う設定部と、
を有し、
前記プリンタは、前記設定部の設定内容に従って、前記有価証券に関する情報を印刷する範囲の周囲の所定の範囲を、所定の色で塗り潰して印刷する
ことを特徴とするプリンタシステム。
【請求項４】
前記設定部は、前記所定の色を有価証券の読み取りに使用される読取装置のドロップアウトカラーに設定する
ことを特徴とする請求項３に記載のプリンタシステム。
【請求項５】
前記設定部は、操作部を有し、
前記有価証券に関する情報を前記ヘッダシートに印刷するときの文字色を前記操作部に対する操作入力に応じて設定する
ことを特徴とする請求項３に記載のプリンタシステム。
【請求項６】
前記設定部は、前記所定の色を前記文字色に対して明度差が最大となる色に設定する
ことを特徴とする請求項５に記載のプリンタシステム。
【請求項７】
前記設定部と通信を行い、前記設定部の前記ヘッダシートの印刷時の設定を、前記プリンタ及び／または前記読取装置の名称に対応付けて基本設定情報として予め記憶する記憶部を有するサーバ装置
をさらに有し、
前記設定部は、前記ヘッダシートの印刷時の設定のとき、前記操作部への操作入力に応じて選択されたプリンタ及び／または前記読取装置の名称に対応した前記基本設定情報を前記サーバ装置から読み出し、現在の設定に反映する
ことを特徴とする請求項３から６のいずれか一項に記載のプリンタシステム。
【発明の詳細な説明】
【技術分野】
【０００１】
本発明は、有価証券とともに読み取られるヘッダシートの印刷方法及びヘッダシートを印刷するプリンタシステムに関する。
【背景技術】
【０００２】
商品券、ギフト券、地域通貨等、特定の範囲内で金銭の代わりに通用される有価証券（金券）が普及している。
有価証券は、発行会社或いは発行団体がそれぞれ独自に発行したものである。消費者が有価証券の使用可能な商店や百貨店等の取扱店において使用した有価証券を取扱店が回収し、発行会社等に引き渡すことにより、回収した有価証券分の金額（清算金額）を発行会社等から受け取るようになっている。
【０００３】
取扱店は、有価証券の回収時に、発行会社から清算金額を受け取るために、有価証券から各種情報を読み取る。効率よく読取処理を行うために、ＯＣＲ（Optical Character Reader）等の読取装置が利用され、有価証券の種別、清算金額、発行会社、有効期限等の各種情報が読み取られる。
なお、有価証券の読取処理時に、回収した店舗やレジの情報を読取装置に入力することにより、どの店舗・レジで回収した有価証券かを管理することができる。この場合、レジ番号や店舗番号を記した紙を有価証券と同時に読取装置に読み取らせることによりレジや店舗の情報を読取装置に入力する。レジ番号や店舗番号を記した紙は例えばヘッダシートと呼ばれ、レジ番号や店舗の情報、ヘッダシートの識別番号等がＯＣＲ用文字列やバーコード等の形式で印刷されている。
【０００４】
ヘッダシートは、ＯＣＲ等の読取装置で読取を行うことができるように、専用のプリンタにより印刷されることが多い。専用のプリンタは、読取装置で読み取ることができるようなヘッダシートを、ＯＣＲ用のフォントを使用して所定の位置に印刷するためのプリンタ装置である。
また、読取装置の読取精度を上げるために、ＯＣＲ用のＯＣＲ用紙等、専用の用紙に印刷する場合もある。このような場合、取扱店によっては、地紋や背景画像、文字等が既に印刷された用紙を使用する場合がある。
【０００５】
上述したようにプリンタごとの性能差・個体差、用紙の特性等に対応するために、プリンタは、読取装置が印刷したヘッダシートを読み取ることができるように、読取装置の読取性能に合わせた設定を行いその設定で印刷する。すなわち、プリンタ側で印刷時のインク濃度、色設定、印刷位置等の設定を行うことにより、読取装置が読み取りやすいようにする必要がある。
【発明の開示】
【発明が解決しようとする課題】
【０００６】
しかし、上述したようなプリンタ側の設定を行うためには、読取装置の読取性能、使用する用紙やインクの性質を正確に把握する必要があり、そのために複数回の試行を行っていた。複数回の試行が必要であるために、プリンタの設定には時間がかかる、という不利益があった。また、例えば読取装置の機種を変更した場合等に、変更した読取装置の性能に合わせて再度プリンタ側の設定を行う必要があり、煩わしいという不利益があった。
また、上述したようなプリンタ側の設定を行っても、使用する用紙の地紋や模様によっては、読取装置が読み取りを行うことができない場合がある、という不利益があった。
【０００７】
本発明は、上述の問題を解消するために、ヘッダシート印刷時の手間を抑え、ヘッダシートの被読取精度を向上させる印刷方法及びプリンタシステムを提供することを目的とする。
【課題を解決するための手段】
【０００８】
本発明に係る印刷方法は、有価証券の読み取り時に読み取られる、有価証券に関する情報が印刷されたヘッダシートを印刷する印刷方法であって、前記有価証券に関する情報が印刷された周囲の所定の範囲を、所定の色で塗り潰して印刷することを特徴とする。
【０００９】
この構成によれば、有価証券に関する情報、すなわち、有価証券の管理に必要な、読み取りを行う企業・店舗・レジ等の情報を例えば文字列やバーコードの形式で記載したヘッダシートを印刷する時に、印刷される文字列やバーコードの周囲の所定の範囲を所定の色で塗り潰して印刷するため、印刷されたヘッダシートの被読取精度を向上させることができる。
【００１０】
上記印刷方法において、前記所定の色は、有価証券の読み取りに使用される読取装置のドロップアウトカラーに設定されるとよい。これにより、上記文字列やバーコードは、読取装置のドロップアウトカラー内に印刷されることになり、読取装置によるヘッダシートの読み取り精度が向上することになる。
【００１１】
また、本発明に係るプリンタシステムは、有価証券の読み取り時に読み取られる、有価証券に関する情報が印刷されたヘッダシートを印刷するプリンタシステムであって、プリンタと、前記ヘッダシートの印刷時の設定を行う設定部と、を有し、前記プリンタは、前記設定部の設定内容に従って、前記有価証券に関する情報を印刷する範囲の周囲の所定の範囲を、所定の色で塗り潰して印刷することを特徴とする。
【００１２】
この構成によれば、本発明に係るプリンタシステムは、プリンタと、ヘッダシートに印刷する文字列やバーコードの色、その周囲の所定の範囲の色等を設定する設定部とを有し、ヘッダシートを印刷する時に、設定部によってなされた設定に従って、文字列やバーコードの周囲の所定の範囲を所定の色で塗り潰して印刷するため、印刷されたヘッダシートの被読取精度を向上させることができる。
【００１３】
上記プリンタシステムにおいて、前記設定部は、前記所定の色を有価証券の読み取りに使用される読取装置のドロップアウトカラーに設定するとよい。これにより、上記文字列やバーコードは、読取装置のドロップアウトカラー内に印刷されることになり、読取装置によるヘッダシートの読み取り精度が向上することになる。
【００１４】
また、上記プリンタシステムにおいて、前記設定部は、操作部を有し、前記有価証券に関する情報を前記ヘッダシートに印刷するときの文字色を前記操作部に対する操作入力に応じて設定するとよい。これにより、上記文字列或いはバーコードの色、所定の範囲の色を自由に設定が可能となる。
【００１５】
また、上記プリンタシステムにおいて、前記設定部は、前記所定の色を前記文字色に対して明度差が最大となる色に設定するとよい。これにより、上記文字列或いはバーコードの色が所定の範囲の色に対して認識しやすくなり、読取装置による読み取りの制度が向上する。
【００１６】
また、上記プリンタシステムにおいて、前記設定部と通信を行い、前記設定部の前記ヘッダシートの印刷時の設定を、前記プリンタ及び／または前記読取装置の名称に対応付けて基本設定情報として予め記憶する記憶部を有するサーバ装置をさらに有し、前記設定部は、前記ヘッダシートの印刷時の設定のとき、前記操作部への操作入力に応じて選択されたプリンタ及び／または前記読取装置の名称に対応した前記基本設定情報を前記サーバ装置から読み出し、現在の設定に反映するとよい。これにより、予め設定されサーバ装置に記憶された基本設定情報を設定部が読み出し、その設定内容をヘッダシートの印刷時に自動的に反映させるため、設定入力の手間が省略できる。
【発明の効果】
【００１７】
本発明によれば、ヘッダシート印刷時の手間を抑え、ヘッダシートの被読取精度を向上させる印刷方法及びプリンタシステムを提供することができる。
【発明を実施するための最良の形態】
【００１８】
以下、図面を参照しながら本発明の好適な実施形態について詳細に説明する。
図１に本発明の実施形態のプリンタシステム１００の構成の一例を示す。
図１は、プリンタシステム１００の構成の一例を示すブロック図である。
プリンタシステム１００は、プリンタ１、管理ＰＣ２（本発明の設定部に対応）、集中サーバ３（本発明のサーバ装置に対応）を有する。
プリンタ１は、商品券、クーポン券等の有価証券を取り扱い可能な店舗（以下取扱店）において、消費者から回収した有価証券を管理するために図１に図示しない読取装置に読み取らせるためのヘッダシートを印刷するプリンタである。
ヘッダシートは、「レジコード」、「支店コード」、「ヘッダシート識別番号」等の情報をＯＣＲ読み取り用の文字列或いはバーコード等の形式で記載したシートであり、例えばプリンタ１により所定の用紙に文字列やバーコードが印刷されることにより作成される。
【００１９】
このように作成されたヘッダシートは、有価証券とともに読取装置に読み取られる。読取装置は、有価証券から発行元・金額・有効期限等の情報を読み取るとともに、ヘッダシートからその有価証券を扱ったレジ、取扱店の番号等の情報を読み取り、有価証券を扱う店舗では、これらを関連付けることにより、有価証券の管理を行っている。
読取装置は、例えばＯＣＲ（Optical Character Reader）やバーコードリーダ等、有価証券とヘッダシートに記載された情報を読み取ることができる装置である。
【００２０】
図２は、ヘッダシートの一例を示した図である。
図２に示すヘッダシート２００は、プリンタ１が所定の用紙に印刷したヘッダシートの一例である。
図２に示すように、例えば所定の用紙に３枚のヘッダシート２００−１〜２００−３が印刷される。印刷後はこれらのヘッダシートが切り離され、有価証券と共に読取装置に読み取られることになる。これらのヘッダシート２００−１〜３は、それぞれが有価証券の１枚と同程度の大きさになるように印刷される。
【００２１】
また、それぞれのヘッダシート２００−１〜２００−３は、それぞれＯＣＲクリアエリア２０１、ＯＣＲ文字部２０２、バーコードクリアエリア２０３、バーコード部２０４を有する。
ＯＣＲ文字部２０２と、バーコード部２０４には、同一の情報、すなわち、有価証券の読取装置が設けられたレジや店舗に関する情報が記される。ＯＣＲ文字部２０２には文字の形式で（ＯＣＲ−Ｂフォント等のＯＣＲ用のフォントが使用される場合が多い）、バーコード部２０４にはバーコードの形式で上記した情報が記載される。
ＯＣＲクリアエリア２０１及びバーコードクリアエリア２０３は、読取対象のＯＣＲ文字部２０２及びバーコード部２０４の周囲に設ける所定の範囲を指す。ＯＣＲクリアエリア２０１及びバーコードクリアエリア２０３は、読取装置がＯＣＲ文字部２０２及びバーコード部２０４を正確に読み取ることができるように設けられたエリアであり、本来は白色のエリアであるが、本実施形態では、読取装置のドロップアウトカラー（印刷された画像の色のうち、人間の目には見えるが、読取装置には読み取ることができない色）で塗り潰す。クリアエリアをドロップアウトカラーで塗り潰すことにより、読取装置による読取精度を向上させることが可能である。ヘッダシート２００のＯＣＲクリアエリア２０１及びバーコードクリアエリア２０３をドロップアウトカラーで塗り潰すことによる効果については、詳しくは後述する。なお、所定の範囲の大きさは、例えばＯＣＲやバーコードの企画で決定されているクリアエリアと同じ大きさの範囲である。
なお、読取装置がＯＣＲである場合とバーコードリーダである場合とでドロップアウトカラーは異なることが一般的であり、例えばＯＣＲクリアエリア２０１は青色、バーコードクリアエリア２０３は赤色で覆われる。
【００２２】
プリンタ１は上述したようなヘッダシートを印刷するための構成として、通信部１１、印刷部１２、制御部１３を有する。
通信部１１は、後述する管理ＰＣ２の通信部２２と例えば有線接続されており、管理ＰＣ２から印刷に関する設定情報や印刷命令を受信する。
印刷部１２は、制御部１３の制御の下、印刷を行うための印刷デバイスである。
管理ＰＣ２からの設定情報を通信部１１から取得した制御部１３は、当該設定情報内の設定にあわせて印刷を行うように印刷部１２を設定し、さらに管理ＰＣ２からの印刷命令を通信部１１から取得した場合には、当該設定で印刷部１２に印刷を行わせる。
管理ＰＣ２から送信される設定情報は、例えばＯＣＲクリアエリア２０１及びバーコードクリアエリア２０３、ＯＣＲ文字部２０２、バーコード部２０４の用紙内の位置情報、ＯＣＲクリアエリア２０１及びバーコードクリアエリア２０３の色情報、ＯＣＲ文字部２０２に印刷されるべき文字情報、バーコード部２０４に印刷されるべきバーコード情報等である。
【００２３】
次に、管理ＰＣ２について説明する。
管理ＰＣ２は、上述したヘッダシートをプリンタ１で印刷するための各種設定を行い、プリンタ１に対して設定情報を送信するための端末装置である。
管理ＰＣ２は、表示部２１、通信部２２、操作部２３、制御部２４を有する。
表示部２１は、例えばＣＲＴ（Cathode Ray Tube）ディスプレイや、液晶ディスプレイ（ＬＣＤ）等の表示デバイスであり、制御部２４の制御に応じて種々の表示を行う。
通信部２２は、プリンタ１及び集中サーバ３と接続され、通信を行う。通信部２２は、プリンタ１に対してはヘッダシートの設定情報を送信し、集中サーバ３とはヘッダデータの印刷のために必要な情報の送受信を行う。ヘッダデータの印刷のために必要な情報については、詳しくは後述する。
操作部２３は、例えばキーボードやマウス等の入力デバイスであり、ユーザ（有価証券を取り扱い可能な店舗の店員等）による操作入力を受け付ける。
【００２４】
制御部２４は、表示部２１の表示制御、通信部２２の通信制御、操作部２３への操作入力の検知制御等、管理ＰＣ２全体の統括的な制御を行う。
また、制御部２４は、ヘッダシートの設定処理を行う。
以下、管理ＰＣ２におけるヘッダシートの設定処理について説明する。
制御部２４は、管理ＰＣ２の操作部２３への操作入力に応じて、基本設定画面３００を表示部２１に表示させる。
図３に基本設定画面３００の一例を示す。
【００２５】
基本設定画面３００は、ヘッダシートを印刷するために使用するプリンタ１の個体を設定するためのプリンタ設定欄３０１、印刷したヘッダシートの読取を行わせる読取装置（ＯＣＲ或いはバーコードリーダ）の個体を設定するためのリーダ設定欄３０２、文字色設定欄３０３、背景色（ＯＣＲ）設定欄３０４、背景色（バーコード）設定欄３０５、ボタン類３０６を有する。
プリンタ設定欄３０１は、ヘッダシートの印刷に使用するプリンタ１を個体識別し設定するための欄である。プリンタ設定欄３０１には、管理ＰＣ２の使用可能なプリンタの名称（以下プリンタ名）のうち、ユーザが使用しようとするプリンタ名が表示される。
また、リーダ設定欄３０２は、プリンタ１が印刷したヘッダシートを読み取る読取装置を個体識別し設定するための欄である。リーダ設定欄３０２には、管理ＰＣ２の使用可能なリーダの名称（以下リーダ名）のうち、ユーザが使用しようとするリーダ名が表示される。
プリンタ１や読取装置には、製造メーカや製造時期、使用期間等により性能のばらつき（個体差）が生じる場合がある。このため、管理ＰＣ２では、ヘッダシート作成時の設定情報として、プリンタ１及び読取装置の個体情報を後述する文字色、背景色とともに記憶しておくことにより、リーダで好適に読み取り可能なヘッダシートをプリンタ１により印刷することができるようにしている。
【００２６】
文字色設定欄３０３は、ヘッダシートに使用される文字の色を設定するための欄である。
文字の色は、例えばＣＭＹＫ（Ｃ：シアン、Ｍ：マゼンタ、Ｙ：イエロー、Ｋ：ブラックの４色で構成されるカラーモデル）の各色の強さをパーセンテージで指定可能となっており、例えば文字色を黒にしたい場合には、図３に示したように「Ｃ：０％、Ｍ：０％、Ｙ：０％、Ｋ：１００％」と指定すればよい。
背景色（ＯＣＲ）設定欄３０４は、ヘッダシート内に印刷するＯＣＲにより読み取られるべき文字列のクリアエリアとして塗り潰す色を設定するための欄である。一般的にＯＣＲのドロップアウトカラーは青色であるため、例えば「Ｃ：１００％、Ｍ：０％、Ｙ０％」とすればよい。ここで、ＯＣＲ読み取り用の文字列の背景色に黒が使用されることは無いため、Ｋ（ブラック）の指定欄は存在しないことになっている。
背景色（バーコード）設定欄３０５は、ヘッダシート内に印刷するバーコードのクリアエリアとして塗り潰す色を設定するための欄である。一般的にバーコードリーダのドロップアウトカラーは赤色であるため、例えば「Ｃ：０％、Ｍ：１００％、Ｙ０％」とすればよい。ここで、バーコードの背景色に黒が使用されることは無いため、Ｋ（ブラック）の指定欄は存在しないことになっている。
【００２７】
なお、本実施形態の制御部２４は、文字色設定欄３０３において設定された文字色を基に、背景色（ＯＣＲ）設定欄３０４の設定内容を自動的に更新してもよい。すなわち、文字色設定欄３０３が設定され背景色（ＯＣＲ）設定欄３０４がまだ設定されていない場合に、制御部２４は文字色設定欄３０３に設定された文字色に対して、例えば明度差が最大になるような色を算出し、背景色（ＯＣＲ）設定欄３０４に自動的に表示させる。このようにすることで、ユーザの基本設定時の手間を省略させることが可能である。
また、本実施形態の制御部２４は、プリンタ設定欄３０１及びリーダ設定欄３０２において決定されているプリンタやリーダに応じて、文字色設定欄３０３、背景色（ＯＣＲ）設定欄３０４及び背景色（バーコード）設定欄３０５の設定内容を自動的に更新してもよい。基本設定画面３００において設定された設定内容は、後述するように名称を付与され集中サーバ３に記憶されるが、制御部２４は、プリンタ設定欄３０１及びリーダ設定欄３０２の設定内容が決定された時点で、集中サーバ３に記憶された基本設定情報から、該当するプリンタとリーダの設定情報を有する基本設定情報を読み出し、その設定内容の設定値を文字色設定欄３０３、背景色（ＯＣＲ）設定欄３０４及び背景色（バーコード）設定欄３０５に自動的に反映させて表示させてもよい。
【００２８】
ボタン類３０６は、例えば、図３に示した基本設定画面３００において設定した内容を確定し、その設定を反映させるための決定ボタン３０６１と、設定した内容を確定せず以前の設定内容のままにするためのＣＡＮＣＥＬボタン３０６２等を有する。ここで、ユーザによって決定ボタン３０６１が押下された場合、基本設定画面３００内の各設定値（使用するプリンタ名、リーダ名、文字色、背景色等）が確定され、基本設定情報が生成される。
管理ＰＣ２の制御部２４は、通信部２２を介して生成した基本設定情報を集中サーバ３に送信し、記憶させる。
ここで基本設定情報には、名称を付けて記憶させておくことが可能である。すなわち、例えばある有価証券の取扱店において、レジごとに使用できるプリンタが異なったりした場合、レジごとに異なる基本設定情報が生成されることになる。このような場合には。基本設定が確定した際に（決定ボタン３０６１が押下された時点で）、制御部２４は図示しない名称決定画面を表示部２１に表示させ、操作部２３を介した操作入力等に応じた名称を基本設定情報の名称として設定することが可能である。基本設定情報の名称としては、例えば有価証券の取扱店の店舗名、レジ名等、自由に設定することができる。
【００２９】
なお、基本設定画面３００の初期画面（まだユーザによる設定が行われていない状態の基本設定画面）の各設定値は、何も表示されていない状態でも良いし、例えば集中サーバ３から基本設定情報を取得し、これを初期設定値として表示してもよい。
【００３０】
管理ＰＣ２の制御部２４は、以上のようにして設定された設定値を利用してヘッダシートの印刷をプリンタ１に行わせる印刷処理を行う。
制御部２４は、操作部２３への操作入力等に応じて、印刷処理を開始する際には、集中サーバ３から基本設定情報（上述した基本設定画面３００において設定されたもの）を読み出し、これを反映した印刷設定画面４００を表示部２１に表示させる。
図４に印刷設定画面４００の一例を示す。
印刷設定画面４００は、設定名選択欄４１１、プリンタ名選択欄４１２、リーダ名選択欄４１３、ボタン類４１４を有するヘッダ部４１０と、ヘッダシートサンプル４２１−１〜３を有するヘッダシート表示部４２０とを有する。
【００３１】
ヘッダ部４１０は、ヘッダシートを印刷する際の選択要素を表示する欄であり、ヘッダシート表示部４２０は印刷されるべきヘッダシートのプレビュー画面である。
設定名選択欄４１１は、集中サーバ３から読み出した複数の基本設定情報の名称の中から１つを選択可能な選択欄であり、操作部２３を介した操作入力等に応じて、例えば複数の基本設定情報の名称がポップアップし、その中の１つの名称が選択されることにより設定名選択欄４１１に表示される。
【００３２】
プリンタ名選択欄４１２は、設定名選択欄４１１において選択された基本設定情報において設定されているヘッダシートの印刷に使用するプリンタの名称を表示する欄である。ただし、プリンタ名選択欄４１２では、現在使用可能なプリンタの名称一覧が表示され、新たに印刷に使用するプリンタを選択することも可能となっている。
リーダ名選択欄４１３は、設定名選択欄４１１において選択された基本設定情報において設定されているヘッダシートを読み取るリーダの名称を表示する欄である。ただし、リーダ名選択欄４１３では、現在使用可能なリーダの名称一覧が表示され、新たにヘッダシートの読み取りに使用するリーダを選択することも可能となっている。
すなわち、ユーザ（有価証券の取扱店の店員等）は、ヘッダシートを印刷するときには、まず設定名選択欄４１１において、レジや店舗に応じた基本設定情報を選択し、選択することによってプリンタ名選択欄４１２に基本設定情報により設定されているプリンタ名が表示され、リーダ名選択欄４１３にリーダ名が表示されたとき、実際に印刷に使用するプリンタ・読取に使用するリーダを変更したい場合には、プリンタ名選択欄４１２及びリーダ名選択欄４１３においてそれぞれの選択を行うことができる。
【００３３】
ボタン類４１４は、ＰＤＦ書き出しボタン４１４１、印刷ボタン４１４２、ＣＡＮＣＥＬボタン４１４３等を有する。ＰＤＦ（Portable Document Format）書き出しボタン４１４１は、ヘッダシート表示部４２０をＰＤＦ形式のファイルとして出力するためのボタンであり、ＰＤＦ書き出しボタン４１４１が操作部２３への操作入力等を介して押下されることにより、制御部２４はヘッダシート表示部４２０に表示されたヘッダシートサンプル４２１−１〜３が記載されたＰＤＦファイルを生成する。ＰＤＦは、表示部上で印刷物と同様のレイアウトの電子ドキュメントを表示させるための形式である。
印刷ボタン４１４２は、設定名選択欄４１１、プリンタ名選択欄４１２、リーダ名選択欄４１３で選択された設定内容及び、ヘッダシート表示部４２０に表示された各サンプルの通りに印刷を行うことを決定するためのボタンであり、制御部２４は、印刷ボタン４１４２が押下されることにより、印刷設定画面４００において設定された各情報を通信部２２を介して（使用するプリンタとして設定された）プリンタ１に送信し、その設定でヘッダシートの印刷を行わせる。
ＣＡＮＣＥＬボタン４１４３は、印刷設定画面４００において設定された情報を破棄するためのボタンである。
【００３４】
次に、ヘッダシート表示部４２０は、上述したように設定された各種情報を基に印刷されるヘッダシートのプレビュー画面である。ただし、管理ＰＣ２の表示部２１によっては、プレビュー画面と実際に印刷されたヘッダシートとがレイアウト等の点で一致しない場合があるため、この場合は上述したＰＤＦ書き出しボタン４１４１を押下することにより出力されたＰＤＦファイルをもとにプレビューすることになる。
ヘッダシートサンプル４２１−１〜３は、それぞれ印刷されるヘッダシートを表示部２１上に表示させたサンプルである。
ヘッダシートサンプル４２１−１〜３は、それぞれＯＣＲクリアエリア４２１１、ＯＣＲ文字部４２１２、バーコードクリアエリア４２１３、バーコード部４２１４を有する。
【００３５】
ＯＣＲ文字部４２１２及びバーコード部４２１４は、印刷されるべき文字列やバーコードを表示した部分である。
ＯＣＲクリアエリア４２１１は、上述のようにして選択された基本設定情報内の設定内容から、背景色（ＯＣＲ）として選択された色で塗り潰されたクリアエリアを表示する部位である。
また、バーコードクリアエリア４２１３は、上述のようにして選択された基本設定情報内の設定内容から、背景色（バーコード）として選択された色で塗り潰されたクリアエリアを表示する部位である。
【００３６】
ユーザは、表示部２１に表示された印刷設定画面４００を見ることにより、これから印刷しようとするヘッダシートの確認、使用する機器（プリンタ及び読取装置）の確認を行う。ユーザの操作部２３を介した操作入力により印刷ボタン４１４２が押下されることにより、管理ＰＣ２の制御部２４は決定された各種設定（文字色、クリアエリアの色（ＯＣＲ及びバーコード）等）の設定情報を、使用すると決定されたプリンタ１に送信し、設定の通りにヘッダシートの印刷を行わせる。
【００３７】
次に、集中サーバ３について説明する。
集中サーバ３は、図１に示すように、通信部３１、記憶部３２、操作部３３、制御部３４を有する。
通信部３１は、管理ＰＣ２の通信部２２と接続され、上記説明した各種設定情報等の送受信を行う。
記憶部３２は、管理ＰＣ２から送信されてきた各種設定情報等を記憶する。
記憶部３２は、企業ＤＢ（データベース）３２１、店舗ＤＢ３２２、レジＤＢ３２３、設定管理ＤＢ３２４を有する。
企業ＤＢ３２１、店舗ＤＢ３２２、レジＤＢ３２３は、有価証券の取扱店の企業名、店舗名、レジナンバー等を記憶するＤＢである。図１においては、プリンタ１及び管理ＰＣ２は集中サーバ３に対して１つずつ存在しているが、実際には１つの集中サーバ３に対して複数の管理ＰＣ２、さらに１つの管理ＰＣ２に対して複数のプリンタ１が存在してもよい。企業ＤＢ３２１、店舗ＤＢ３２２、レジＤＢ３２３には、管理ＰＣ２が存在する企業、店舗、レジの情報が記憶される。
設定管理ＤＢ３２４は、管理ＰＣ２から送信されてきた基本設定情報を、企業ＤＢ３２１、店舗ＤＢ３２２、レジＤＢ３２３に記憶された、送信した管理ＰＣ２に対応した企業、店舗、レジに対応させて記憶する。すなわち、設定管理ＤＢ３２４に記憶される複数の基本設定情報は、どこのレジ（或いは企業、店舗）に存在する管理ＰＣ２に対応した基本設定情報であるかが分かるように記憶されており、複数の管理ＰＣ２からの要求に従って、その管理ＰＣ２に対応した基本設定情報を読み出して送り返すことができる。
このようにすることで、複数のレジ（或いは、企業、店舗）に存在する複数の管理ＰＣ２の基本設定情報を綿密に管理することができる。
【００３８】
操作部３３は、キーボードやマウス等の操作入力デバイスであり、上述した記憶部３２内の各ＤＢの内容を変更することが可能である。すなわち、各管理ＰＣ２に対応した基本設定情報等を、集中サーバ３において一括して管理することが可能になっている。
制御部３４は、集中サーバ３全体の動作を統括的に制御する。
【００３９】
上述したようなプリンタシステム１００によれば、ヘッダシートの印刷時に、ＯＣＲ読み取り用の文字列やバーコード等のクリアエリアとして、それぞれの読取装置の特性に応じたドロップアウトカラーにより塗り潰された所定の範囲の領域を印刷するため、プリンタにより印刷したヘッダシートの読み取り時の読み取り不良を軽減することができる。
本効果についてより詳細に説明する。
図５は、本実施形態のプリンタシステム１００によって印刷されたヘッダシート２００の断面模式図である。
図５に示した断面図は、図２に示した線Ａ或いはＡ’に沿ったヘッダシート２００の断面図である。
【００４０】
図５（ａ）において、基材２１１はヘッダシートの基部となる部位を示しており、例えば紙（印刷用紙、ＯＣＲ読み取りに適した上質紙、合成紙、或いは用途によってはプラスチックフィルム等）等が基材２１１に相当する。
プレ印刷層２１２は、上述した基材２１１にヘッダシートの作成（すなわちＯＣＲ文字やバーコードの印刷）前に予め印刷により形成されている層であり、例えば地紋等、下地となる部位である。なお、プレ印刷層２１２は無い場合もあるが、例えば企業や店舗等によっては企業のマークを地紋としてヘッダシート（用の紙）に予め印刷しておく場合があり、プレ印刷層２１２はそのような場合を想定している。
ここまでの基材２１１及びプレ印刷層２１２は、ヘッダシートの印刷前に予め用意された層であり、以下説明するクリアエリア層２１３、読取対象層２１４は管理ＰＣ２において設定された設定に基づいた基本設定情報を基に、プリンタ１が印刷を行う層である。
【００４１】
クリアエリア層２１３は、基本設定情報に設定された背景色（ＯＣＲ或いはバーコード）に従って、プリンタ１がＯＣＲ文字部２０２或いはバーコード部２０４の周囲に設けたクリアエリア２０１或いは２０３の断面を示した層である。クリアエリア層２１３は、設定された背景色のインクがプレ印刷層２１２の上に印刷された層であり、所定の厚みを有する。この厚みに関しては、例えばプリンタ１の固有の特性によって異なるため、本実施形態では限定しない。
読取対象層２１４は、ヘッダシート２００のＯＣＲ文字部２０２或いはバーコード部２０４のインクの層であり、クリアエリア層２１３の上に乗る形で形成されている。
【００４２】
ゴミ２１５は、プレ印刷層２１２の上に印刷前に乗っていたゴミであり、図５に示すようにクリアエリア層２１３に覆われてしまっているため、読取装置によるＯＣＲ文字部２０２或いはバーコード部２０４の読取には全く支障が無い。ゴミ２１５としては、例えば紙くずや基材２１１の疵、ささくれ等を想定しており、クリアエリア層２１３に覆われてしまう大きさのものである（これ以上の大きさのものは、ヘッダシートの印刷前にユーザが目視で発見し排除するなり、基材２１１を取り替えるなりすればよい）。すなわち、本実施形態のプリンタシステム１００によれば、このようにヘッダシート印刷用の基材２１１に存在する小さなゴミや疵をクリアエリア層２１３で覆い、その上に読取対象層２１４を印刷するため、読取対象層２１４の明瞭度が向上し、読取装置による読取精度も向上する。
【００４３】
また、図５（ｂ）は、プレ印刷層２１２が平坦でない場合について説明するための図である。図５（ｂ）では、プレ印刷層２１２が印刷されている箇所とされていない箇所とがある。このまま読取対象層２１４の印刷を行った場合には、読取対象層２１４の読取装置による読み取り時にプレ印刷層２１２の有無による段差の所為で明瞭度が下がり、読取精度が下降する恐れがある。しかし、図５（ｂ）に示すように、クリアエリア層２１３がプレ印刷されていない部位を覆ってしまっているため、読取対象層２１４の明瞭度は図５（ａ）に示した場合と変わらず、読取精度も高いままとなる。
【００４４】
なお、図５に示したヘッダシートの断面模式図では、読取対象層２１４はクリアエリア層２１３の上に乗る形で形成されているが、本発明はこれには限定されず、プレ印刷層２１２に直接読取対象層２１４が乗る形で形成されてもよい。この場合、クリアエリア層２１３が読取対象層２１４の周囲の所定の範囲を覆うように形成されればよい。
【００４５】
以上説明したように、本実施形態のプリンタシステム１００によれば、ヘッダシートの印刷時に、ＯＣＲ文字部２０２やバーコード部２０４等のクリアエリア２０１、２０３として、それぞれの読取装置の特性に応じたドロップアウトカラーにより塗り潰された所定の範囲の領域を印刷するため、プリンタ１により印刷したヘッダシートの読取装置による読取精度を向上させることができる。
【００４６】
また、本実施形態のプリンタシステム１００によれば、管理ＰＣ２における設定時に、ＯＣＲ文字部２０２やバーコード部２０４の色、それぞれのクリアエリア２０１、２０３の色を、印刷に使用するプリンタ１や読み取りに使用する読取装置と対応付けられ名称を付与された基本設定情報を生成し、集中サーバ３の設定管理ＤＢ３４に記憶させるので、各種設定内容の管理が容易である。
また、管理ＰＣ２では、ヘッダシートの印刷を行うための印刷設定画面４００において、基本設定情報の名称を選択するだけで基本設定の内容が集中サーバ３の設定管理ＤＢ３４から読み出され画面に反映されるため、ヘッダシート印刷の度に一々設定を入力する手間を省略することができる。
【００４７】
また、上述したプリンタシステム１００によれば、基本設定画面３００において各種設定を行う際に、文字色が決定されたら、その文字色に対して明度差が最大になるような背景色がＯＣＲ文字部２０２の背景色として自動的に設定されるため、設定の手間を省略することができる。
【００４８】
なお、本発明は、上述した実施形態に限られない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【産業上の利用可能性】
【００４９】
本発明は、回収した有価証券を読み取り管理する際に使用されるヘッダシートの印刷を行うプリンタを含むプリンタシステムで利用することができる。
上述した実施形態では、ヘッダシートには、ＯＣＲ文字部２０２とバーコード部２０４の両方が印刷されるとしたが、本発明では片方のみが印刷されていてもよい。
【図面の簡単な説明】
【００５０】
【図１】図１は、本実施形態のプリンタシステムの構成の一例を示すブロック図である。
【図２】図２は、ヘッダシートの一例を示した図である。
【図３】図３は、本実施形態の管理ＰＣにおける基本設定画面の一例を示した図である。
【図４】図４は、本実施形態の管理ＰＣにおける印刷設定画面の一例を示した図である。
【図５】図５は、本実施形態のプリンタシステムによって印刷されたヘッダシートの断面模式図である。
【符号の説明】
【００５１】
１００…プリンタシステム、１…プリンタ、１１…通信部、１２…印刷部、１３…制御部、２…管理ＰＣ、２１…表示部、２２…通信部、２３…操作部、２４…制御部、３…集中サーバ、３１…通信部、３２…記憶部、３２１…企業ＤＢ、３２２…店舗ＤＢ、３２３…レジＤＢ、設定管理ＤＢ、３３…操作部、３４…制御部、２００…ヘッダシート、２０１…ＯＣＲクリアエリア、２０２…ＯＣＲ文字部、２０３…バーコードクリアエリア、２０４…バーコード部、２１１…基材、２１２…プレ印刷層、２１３…クリアエリア層、２１４…読取対象層、２１５…ゴミ、３００…基本設定画面、３０１…プリンタ設定欄、３０２…リーダ設定欄、３０３…文字色設定欄、３０４…背景色（ＯＣＲ）設定欄、３０５…背景色（バーコード）設定欄、３０６…ボタン類、３０６１…決定ボタン、３０６２…ＣＡＮＣＥＬボタン、４００…印刷設定画面、４１０…ヘッダ部、４１１…設定名選択欄、４１２…プリンタ名選択欄、４１３…リーダ名選択欄、４１４…ボタン類、４１４１…ＰＤＦボタン、４１４２…印刷ボタン、４１４３…ＣＡＮＣＥＬボタン、４２０…ヘッダシート表示部、４２１−１〜３…ヘッダシートサンプル、４２１１…クリアエリア、４２１２…ＯＣＲ文字部、４２１３…バーコードクリアエリア、４２１４…バーコード部
【図１】
2009248531.tif 000003
【図２】
2009248531.tif 000004
【図３】
2009248531.tif 000005
【図４】
2009248531.tif 000006
【図５】
2009248531.tif 000007